(57)【要約】【課題】ワイヤハーネスを容易に取り付けることができ、かつ高い汎用性を有するクランプを提供すること。【解決手段】クランプ１０は、略環状に湾曲することでワイヤハーネスＷを取り囲むバンド部１０ａと、パネルＰの貫通穴Ｈに挿入される一対の挿入係止部１０ｂ、１０ｃに、貫通穴Ｈの縁部に係止されることによってワイヤハーネスＷをパネルＰに固定する複数対の係止爪部１１ａ、１１ｂ、１１ｃ、係止爪部１２ａ、１２ｂ、１２ｃと、互いに係止されることによりクランプ１０をワイヤハーネスＷに取り付けるために湾曲した状態を保持し、かつワイヤハーネスＷの周方向の位置を保持する係止凸部１３ａ、１３ｂ、１３ｃおよび係止凹部１４ａ、１４ｂ、１４ｃとを有し、ワイヤハーネスＷの径に応じて、貫通穴Ｈの縁部に係止される係止爪部１１ａ、１１ｂ、１１ｃ、係止爪部１２ａ、１２ｂ、１２ｃが選択される。【選択図】図６
2015082944.tif 000002
【特許請求の範囲】
【請求項１】
ワイヤハーネスを取り囲むよう略環状に湾曲可能なバンド部の両端側に、前記略環状での径方向の外側に向かって突出する一対の挿入係止部を有し、前記一対の挿入係止部をパネルの貫通穴に抜け止め可能に挿入するクランプであって、
前記一対の挿入係止部の互いに対向する内面側に設けられ、互いに接近したときに係止される係止凸部および係止凹部と、
前記一対の挿入係止部の外面側に複数設けられ、前記挿入係止部の挿入方向にそれぞれ離間した複数対の係止爪部とを有し、
前記一対の挿入係止部が前記パネルの貫通穴に挿入された場合に、いずれか一対の前記係止爪部が前記パネルに係止されることを特徴とするクランプ。
【請求項２】
前記係止凸部および係止凹部は、それぞれ前記挿入係止部の挿入方向において互いに離間するように複数設けられていることを特徴とする請求項１に記載のクランプ。
【発明の詳細な説明】
【技術分野】
【０００１】
本発明は、クランプに関する。
【背景技術】
【０００２】
従来、ワイヤハーネスをパネルに固定するためのクランプとして、ワイヤハーネスの所定の位置にテープで巻きつけることでワイヤハーネスに取り付けられるテープ巻クランプや、所定の治具を用いて締め付けることでワイヤハーネスに取り付けられ、取り付けた後に余剰部分を切断除去するバンドクランプ等が汎用されていた。
【０００３】
このようなテープ巻クランプやバンドクランプにおいては、テープや治具等の別部品が必要であるとともに、切断除去作業等が必要であり、部品点数や作業工数が増大するといった問題があった。そこで、別部品を必要とすることがなく、またワイヤハーネスの固定時において部品の切断除去をする必要がなく取り付け時の作業工数が低減されたクランプが既に知られている（例えば、特許文献１参照）。
【０００４】
このようなクランプにおいては、図８に示すように、環状帯部１１０の両端より立設した一対の挿入係止部１２０、１３０を備え、この一対の挿入係止部１２０、１３０は、両端縁より突出した軸板部１２１、１３１と、軸板部１２１、１３１の先端より外側に折り返した羽根部１２２、１３２と、軸板部１２１、１３１より内方へ断面逆Ｌ字形状に形成したロック部１２３、１３３と、軸板部１２１、１３１の上端一部を切り欠いた被ロック部１２４、１３４と、を設け、環状帯部１１０にワイヤハーネスを収容した状態で、軸板部１２１、１３１を互いに接近させてロック部１２３、１３３を被ロック部１２４、１３４に係合させるように構成している。
【先行技術文献】
【特許文献】
【０００５】
【特許文献１】特開２００４−１０４９２４号公報
【発明の概要】
【発明が解決しようとする課題】
【０００６】
しかしながら、上述のようなクランプにおいては、環状帯部１１０は、軸板部１２１、１３１が接近する程度の撓みを許容する構成であるため、ワイヤーハーネスの直径が異なる場合に、そのワイヤハーネスの直径に対応した直径の環状帯部１１０を有するクランプを用意しなければならず、汎用性に欠けるという課題が残されていた。
【０００７】
また、この環状帯部１１０を上述したバンドクランプのように変形可能としても、軸板部１２１、１３１はそのままであるため、ワイヤーハーネスの直径の変化に対応させることはできず、汎用性に欠けるという問題は依然として解消できない。
【０００８】
本発明は、上述のような課題を解決するためになされたもので、ワイヤハーネスを容易にパネルに固定することができ、かつワイヤハーネスの直径の変化に対応して汎用性を向上させることができるクランプを提供することを目的とする。
【課題を解決するための手段】
【０００９】
本発明に係るクランプは、上記目的達成のため、ワイヤハーネスを取り囲むよう略環状に湾曲可能なバンド部の両端側に、前記略環状での径方向の外側に向かって突出する一対の挿入係止部を有し、前記一対の挿入係止部をパネルの貫通穴に抜け止め可能に挿入するクランプであって、前記一対の挿入係止部の互いに対向する内面側に設けられ、互いに接近したときに係止される係止凸部および係止凹部と、前記一対の挿入係止部の外面側に複数設けられ、前記挿入係止部の挿入方向にそれぞれ離間した複数対の係止爪部とを有し、前記一対の挿入係止部が前記パネルの貫通穴に挿入された場合に、いずれか一対の前記係止爪部が前記パネルに係止されることを特徴とする。
【００１０】
この構成により、本発明に係るクランプは、バンド部を略環状に湾曲させてワイヤハーネスを取り囲むことで一対の挿入係止部に設けた係止凸部および係止凹部を互いに係止させ、一対の挿入係止部をパネルの貫通穴に挿入することで一対の係止爪部をパネルに係止させるため、容易にワイヤハーネスをパネルに固定することができる。
【００１１】
また、本発明に係るクランプは、ワイヤハーネスの直径に応じて挿入係止部の挿入方向にそれぞれ離間した複数対の係止爪部のパネルとの係止位置を変更することで、ワイヤハーネスの直径が変わってもワイヤハーネスをパネルに固定することができるため、汎用性を向上することができる。
【００１２】
また、本発明に係るクランプにおいて、前記係止凸部および係止凹部は、それぞれ前記挿入係止部の挿入方向において互いに離間するように複数設けられていてもよい。
【００１３】
この構成により、本発明に係るクランプは、ワイヤハーネスの直径に応じて、複数設けた係止凸部および係止凹部のいずれかを互いに係止させることができるため、クランプをワイヤハーネスに取り付けた場合にワイヤハーネスをより一層安定して取り囲むことができる。
【発明の効果】
【００１４】
本発明によれば、ワイヤハーネスを容易にパネルに固定することができ、かつワイヤハーネスの直径の変化に対応して汎用性を向上させることができるクランプを提供することができる。
【図面の簡単な説明】
【００１５】
【図１】本発明の実施の形態に係るクランプを示す正面図である。
【図２】本発明の実施の形態に係るクランプを示し、（Ａ）は、ワイヤハーネスを保持可能とした組み付け状態の正面図、（Ｂ）は、同じく斜視図である。
【図３】本発明の実施の形態に係るクランプを示す断面図である。
【図４】本発明の実施の形態に係るクランプの係止凸部を示す要部の斜視図である。
【図５】本発明の実施の形態に係るクランプを示し、（Ａ）は、ワイヤハーネスに取り付けた状態を示す斜視図、（Ｂ）は、ワイヤハーネスをパネルに固定した状態を示す斜視図である。
【図６】本発明の実施の形態に係るクランプを示し、ワイヤハーネスをパネルに固定した状態を示す概略の断面図である。
【図７】本発明の実施の形態に係るクランプを示し、ワイヤハーネスをパネルに固定した状態を示す変形例の概略の断面図である。
【図８】従来のクランプを示す斜視図である。
【発明を実施するための形態】
【００１６】
以下、本発明の実施の形態について、図面を参照して説明する。
【００１７】
図１、図２は、本実施の形態に係るクランプ１０を示す図である。図１に示すように、クランプ１０は、ワイヤハーネスＷを取り囲むよう略環状に湾曲可能なバンド部１０ａと、バンド部１０ａの両端側に位置し、図２に示すように、バンド部１０ａを略環状としたときに径方向の外側に向かって突出する一対の挿入係止部１０ｂ、１０ｃと、を有する。
【００１８】
図３に示すように、バンド部１０ａの長さＬは、例えば、ワイヤハーネスＷを車体に配索する場合に、想定し得るワイヤハーネスＷの直径の最大の直径と最小の直径とを考慮した長さＬとしている。
【００１９】
すなわち、車体に配索するワイヤハーネスＷの場合、各種コントロールユニット等から主方向にまとめて配索したうえで、複数個所で分岐することで電源供給線や制御信号線等として用いている。
【００２０】
したがって、主方向に沿うワイヤハーネスは電線数が多いことから直径も太くなる。一方、分岐したワイヤハーネスは、電線数が少なくなることから直径も細くなる。
【００２１】
そこで、これら一群のワイヤハーネス１０の配索において、同じクランプ１０を用いることができれば、複数種類のものを用意する必要がなくなり、汎用性を向上することができる。
【００２２】
そのため、本実施の形態では、長さＬは、主方向に沿って配索する最大径のときと分岐した最小径のときの周長の双方を考慮して、ワイヤハーネスＷを取り囲んだときに、後述するパネルＰへの固定が可能となる長さのものを用いるようにしている。
【００２３】
また、クランプ１０は、湾曲自在な樹脂材料（例えば、ＰＡ６６樹脂＝ナイロン（商標登録））等によって、形成されている。
【００２４】
一対の挿入係止部１０ｂ、１０ｃは、複数の係止爪部１１ａ、１１ｂ、１１ｃ、複数の係止爪部１２ａ、１２ｂ、１２ｃと、複数の係止凸部１３ａ、１３ｂ、１３ｃと、複数の係止凹部１４ａ、１４ｂ、１４ｃと、を一体に備えている。
【００２５】
なお、係止爪部１１ａ、１１ｂ、１１ｃ、係止爪部１２ａ、１２ｂ、１２ｃ、係止凸部１３ａ、１３ｂ、１３ｃ、係止凹部１４ａ、１４ｂ、１４ｃは、その位置が異なるのみであって、形状等の構成は、それぞれ同一のものを用いている。
【００２６】
したがって、以下の説明においては、必要に応じて、係止爪部１１ａ、１１ｂ、１１ｃは係止爪部１１と総称し、係止爪部１２ａ、１２ｂ、１２ｃは、係止爪部１２と総称し、係止凸部１３ａ、１３ｂ、１３ｃは、係止凸部１３と総称し、係止凹部１４ａ、１４ｂ、１４ｃは係止凹部１４と総称する。
【００２７】
係止爪部１１、１２は、ワイヤハーネスＷを取り囲むようにバンド部１０ａを略環状に湾曲させた場合に、各挿入係止部１０ｂ、１０ｃの外面側となる面にそれぞれ３つずつ設けられている。
【００２８】
各係止爪部１１ａ、１１ｂ、１１ｃは、それぞれ挿入係止部１０ｂの挿入方向に沿って等間隔に離間して設けている。また、各係止爪部１２ａ、１２ｂ、１２ｃも同様に、それぞれ挿入係止部１０ｃの挿入方向に離間して設けている。ここで、挿入方向とは、バンド部１０ａを略環状に湾曲させ、後述するパネルＰの貫通穴Ｈに挿入係止部１０ｂ、１０ｃを挿入する方向を意味する。なお、係止爪部１１、１２は、パネルＰへの挿入方向に沿ってそれぞれ離間して３つ設けたものを例示したが、例えば、上述した長さＬと同様に、想定し得る適用範囲に応じて任意であり、本発明は、これに限定されない。
【００２９】
また、各係止爪部１１、１２は、例えば、各挿入係止部１０ｂ、１０ｃの先端位置を基準として、各挿入係止部１０ｂ、１０ｃの挿入方向において同位置になるようにそれぞれ設けられている。したがって、係止爪部１１ａと係止爪部１２ａ、係止爪部１１ｂと係止爪部１２ｂ、係止爪部１１ｃと係止爪部１２ｃのそれぞれが、互いに対となっている。
【００３０】
例えば、係止爪部１１ａの挿入係止部１０ｂにおける挿入方向の位置と、係止爪部１２ａの挿入係止部１０ｃにおける挿入方向の位置とは、共に同位置であり、バンド部１０ａを略環状に湾曲した場合に、一対の係止爪部１１ａ、１２ａとなる。また、係止爪部１１ｂ、１１ｃおよび係止爪部１２ｂ、１２ｃについても、同様である。
【００３１】
また、各係止爪部１１、１２は、挿入方向前方側、すなわち、各挿入係止部１０ｂ、１０ｃの先端から挿入方向後方側に向かうほど、各挿入係止部１０ｂ、１０ｃから離れる方向に傾斜した面を一体に備えており、貫通穴Ｈに挿入し易いように構成している。
【００３２】
係止凸部１３および係止凹部１４は、ワイヤハーネスＷを取り囲むようにバンド部１０ａを略環状に湾曲させた場合に、各挿入係止部１０ｂ、１０ｃの内面側となる面にそれぞれ３つずつ設けられている。また、係止凸部１３および係止凹部１４は、挿入方向に沿って各係止爪部１１、１２の間に位置している。なお、係止凸部１３および係止凹部１４は、パネルＰへの挿入方向に沿ってそれぞれ離間して３つ設けたものを例示したが、例えば、上述した長さＬや各係止爪部１１、１２と同様に、想定し得る適用範囲に応じて任意であり、本発明は、これに限定されない。
【００３３】
図４に示すように、係止凸部１３は、ワイヤハーネスＷを取り囲むようにバンド部１０ａを湾曲させたときに挿入係止部１０ｂの内面側から突出しており、挿入係止部１０ｂから略垂直に立ち上がる脚部２３ａと、脚部２３ａの先端に位置して片側矢じり状に形成された爪部２３ｂと、を有している。
【００３４】
脚部２３ａは、挿入係止部１０ｃの肉厚以上の長さを有している。また、クランプ１０が湾曲可能な樹脂であることから、脚部２３ａも弾性変形が可能となっている。
【００３５】
爪部２３ｂは、先端側に先細りとなるように形成されており、脚部２３ａよりも厚肉な部分を有することにより、係止凹部１４に対して係止可能となっている。したがって、爪部２３ｂは、上述した片側矢じり状の他、両側矢じり状や球状等、その形状は特に限定されるものではない。
【００３６】
係止凹部１４は、挿入係止部１０ｃの内面側から外面側に貫通しており、挿入係止部１０ｃの外面側に爪部２３ｂが係止可能となるように凹んだ凹形状に形成されている。
【００３７】
各係止凸部１３ａ、１３ｂ、１３ｃは、それぞれ挿入係止部１０ｂの挿入方向に等間隔に離間して係止爪部１１と対向する位置に設けられている。また、各係止凹部１４ａ、１４ｂ、１４ｃも同様に、それぞれ挿入係止部１０ｃの挿入方向に等間隔に離間して係止爪部１２と対向する位置に設けられている。
【００３８】
また、各係止凸部１３および係止凹部１４は、各挿入係止部１０ｂ、１０ｃの挿入方向において同位置になるようにそれぞれ設けられている。このため、クランプ１は、バンド部１０ａを略環状に湾曲した場合に、係止凹部１４に係止凸部１３が係止されることで、バンド部１０ａの湾曲した姿勢が保持される。
【００３９】
図５は、ワイヤハーネスＷにクランプ１０を取り付けた状態を示す図である。図５に示すように、クランプ１０は、バンド部１０ａを略環状に湾曲させてワイヤハーネスＷを取り囲むよう変形させることで、ワイヤハーネスＷに取り付けることができる。
【００４０】
ここで、クランプ１０は、挿入係止部１０ｂ、１０ｃが車体等のパネルＰに設けた貫通穴Ｈと対向する向きになるようにワイヤハーネスＷに取り付ける。また、クランプ１０は、すべての係止凸部１３を係止凹部１４に係止させることで、ワイヤハーネスＷに取り付けるためにバンド部１０ａを略環状に変形させた姿勢を保持するとともに、クランプ１０のワイヤハーネスＷの周方向の位置を保持する。
【００４１】
図６は、クランプ１０によってワイヤハーネスＷをパネルＰに固定した状態を示す図である。図５に示すように、クランプ１０は、挿入係止部１０ｂ、１０ｃを貫通穴Ｈに向けて挿入した状態で、係止爪部１１ａ、１２ａがパネルＰの裏面側で貫通穴Ｈの縁部に係止させることによって、ワイヤハーネスＷをパネルＰに固定することができる。
【００４２】
この構成により、本実施の形態に係るクランプ１０は、バンド部１０ａを略環状に湾曲させワイヤハーネスＷを取り囲みつつ一対の挿入係止部１０ｂ、１０ｃに設けた係止凸部１３および係止凹部１４を互いに係止させた状態で、一対の挿入係止部１０ｂ、１０ｃをパネルＰの貫通穴Ｈに挿入することで一対の係止爪部１１ａ、１２ａがパネルＰに係止されるため、容易にワイヤハーネスＷをパネルＰに固定することができる。
【００４３】
ここで、ワイヤハーネスＷが、直径の太いワイヤハーネスＷ１である場合、クランプ１０は、図７に示すように、係止凸部１３ｂ、１３ｃがそれぞれ係止凹部１４ｂ、１４ｃに係止されることによって、バンド部１０ａを略環状に変形した姿勢およびワイヤハーネスＷ１の周方向の位置を保持し、係止爪部１１ｂ、１２ｂが貫通穴Ｈの縁部に係止されることによって、ワイヤハーネスＷ１をパネルＰに固定する。
【００４４】
このように、ワイヤハーネスＷの径に応じて、パネルＰに対する係止爪部１１ａ、１１ｂ、１１ｃ及び各係止爪部１２ａ、１２ｂ、１２ｃの係止位置を変えることにより、ワイヤハーネスＷの直径（周長）に相当するバンド部１０ａの長さＬを実質的に可変する絞り込み作用を付与することができる。
【００４５】
この構成により、本実施の形態に係るクランプ１０は、ワイヤハーネスの直径に応じてパネルＰに対する係止爪部１１ａ、１１ｂ、１１ｃ及び各係止爪部１２ａ、１２ｂ、１２ｃの係止位置を変更することで、ワイヤハーネスの直径が変わってもワイヤハーネスをパネルＰに固定することができるため、高い汎用性を有することができる。
【００４６】
同様に、ワイヤハーネスＷの径に応じて、ワイヤハーネスＷに対する係止凸部１３ａ、１３ｂ、１３ｃ、係止凹部１４ａ、１４ｂ、１４ｃの係止位置を変えることにより、ワイヤハーネスＷの直径（周長）に相当するバンド部１０ａの長さＬを実質的に可変する絞り込み作用をパネルＰに固定する前に付与することができる。
【００４７】
この構成により、本実施の形態に係るクランプ１０は、ワイヤハーネスＷ（Ｗ１）の径にかかわらず、複数設けられた係止凸部１３および係止凹部１４のいずれかが互いに係止されるため、クランプ１０をワイヤハーネスＷ（Ｗ１）に取り付けた場合におけるワイヤハーネスＷ（Ｗ１）の周方向の位置を事前に安定して保持することができる。
【００４８】
したがって、係止凸部１３および係止凹部１４を用いることにより、ワイヤハーネスＷ（Ｗ１）をより一層安定して取り囲むことができる。
【００４９】
以上のように、本実施の形態に係るクランプ１０は、バンド部１０ａを略環状に湾曲しワイヤハーネスＷを取り囲むことで一対の挿入係止部１０ｂ、１０ｃに設けられた係止凸部１３および係止凹部１４が互いに係止され、一対の挿入係止部１０ｂ、１０ｃをパネルＰの貫通穴Ｈに挿入することで一対の係止爪部１１ａ、１２ａがパネルＰに係止されるため、容易にワイヤハーネスＷをパネルＰに固定することができる。
【００５０】
また、本実施の形態に係るクランプ１０は、ワイヤハーネスの直径に応じてパネルＰに係止される一対の係止爪部１１、１２を変更することで、ワイヤハーネスの直径が変わってもワイヤハーネスをパネルＰに固定することができるため、高い汎用性を有することができる。
【００５１】
また、本実施の形態に係るクランプ１０は、ワイヤハーネスの径にかかわらず、複数設けられた係止凸部１３および係止凹部１４のいずれかが互いに係止されるため、クランプ１０をワイヤハーネスに取り付けた場合におけるワイヤハーネスの周方向の位置を安定して保持することができる。
【００５２】
なお、本実施の形態において、クランプ１０は、３つの係止爪部１１、１２を有する構成なっているが、これに限らず、複数個有する構成であればよい。
【００５３】
また、本実施の形態において、係止爪部１１、１２は、それぞれ挿入係止部１０ｂ、１０ｃの挿入方向にそれぞれ等間隔に離間して設けられているが、これに限らず、各係止爪部１１、１２がそれぞれ対となる位置、すなわち、各係止爪部１１ａ、１１ｂ、１１ｃの挿入係止部１０ｂの挿入方向における位置および各係止爪部１２ａ、１２ｂ、１２ｃの挿入係止部１０ｃの挿入方向における位置がそれぞれ同じであるならば、各係止爪部１１ａ、１１ｂ、１１ｃ同士の間隔および係止爪部１２ａ、１２ｂ、１２ｃ同士の間隔がそれぞれ異なっていてもよい。
【００５４】
また、本実施の形態において、クランプ１０は、３つの係止凸部１３および３つの係止凹部１４を有する構成なっているが、これに限らず、係止凸部１３および係止凹部１４の数が同数となり、かつ複数個有する構成であればよい。
【００５５】
また、本実施の形態において、係止凸部１３および係止凹部１４は、それぞれ挿入係止部１０ｂ、１０ｃの挿入方向にそれぞれ等間隔に離間して設けられているが、これに限らず、各係止凸部１３および各係止凹部１４がそれぞれ互いに係止する位置、すなわち、各係止凸部１３ａ、１３ｂ、１３ｃの挿入係止部１０ｂの挿入方向における位置および各係止凹部１４ａ、１４ｂ、１４ｃの挿入係止部１０ｃの挿入方向における位置がそれぞれ同じであるならば、各係止凸部１３ａ、１３ｂ、１３ｃ同士の間隔および係止爪部１４ａ、１４ｂ、１４ｃ同士の間隔がそれぞれ異なっていてもよい。
【００５６】
また、本実施の形態において、係止凸部１３および係止凹部１４は、それぞれ係止爪部１１、１２と対向する位置に設けられているが、これに限らず、バンド部１０ａを略環状にした場合における挿入係止部１０ｂ、１０ｃの内面側に設けられていればよい。
【００５７】
なお、各係止爪部１１ａ、１１ｂ、１１ｃと各係止爪部１２ａ、１２ｂ、１２ｃの挿入方向の離間距離はパネルＰの肉厚を考慮して決定されている。また、係止凸部１３ａ、１３ｂ、１３ｃと係止凹部１４ａ、１４ｂ、１４ｃの挿入方向の離間距離は各係止爪部１１ａ、１１ｂ、１１ｃと各係止爪部１２ａ、１２ｂ、１２ｃの離間距離と同一である。
【００５８】
したがって、例え、洋服のボタンのように係止凸部１３ａ、１３ｂ、１３ｃと係止凹部１４ａ、１４ｂ、１４ｃとの係止位置にかけ違いが発生したとしても、各係止爪部１１ａ、１１ｂ、１１ｃと各係止爪部１２ａ、１２ｂ、１２ｃの位置もかけ違うだけで、パネルＰに対するワイヤハーネスの固定はそのまま可能である。
【符号の説明】
【００５９】
１０  クランプ
１０ａ  バンド部
１０ｂ、１０ｃ  挿入係止部
１１ａ、１１ｂ、１１ｃ  係止爪部
１２ａ、１２ｂ、１２ｃ  係止爪部
１３ａ、１３ｂ、１３ｃ  係止凸部
１４ａ、１４ｂ、１４ｃ  係止凹部
Ｈ  貫通穴
Ｐ  パネル
Ｗ、Ｗ１  ワイヤハーネス
【図１】
2015082944.tif 000003
【図２】
2015082944.tif 000004
【図３】
2015082944.tif 000005
【図４】
2015082944.tif 000006
【図５】
2015082944.tif 000007
【図６】
2015082944.tif 000008
【図７】
2015082944.tif 000009
【図８】
2015082944.tif 000010